(57)【要約】  本発明は下部容器と、前記下部容器内側でネジ回転によって上昇するリード軸と、前記リード軸上部に結合されてともに上昇して上側に口紅化粧品が付着された上昇ピストンと、前記下部容器上部に結合されて上昇ピストンの垂直移動を案内する上部容器及び前記下部容器に結合されて上部容器を開閉するオーバーキャップからなり、前記オーバーキャップを内オーバーキャップと外オーバーキャップに分離構成し、前記内オーバーキャップの下部外周縁に弾性溝を形成して内オーバーキャップの下部内周縁が上部容器の外周縁に弾力的に挿入されるようにすることで、前記オーバーキャップが下部容器に結合された時、口紅化粧品容器内部に外部空気が流入しないようにして口紅化粧品が外部空気によって変質または硬化することを防ぐ密閉力が向上したエアータイト口紅化粧品容器に関する。
2019532705.tif 000002
【特許請求の範囲】
【請求項１】
下部容器を回転するにつれて上部容器内の口紅化粧品が上昇しながら引き出される口紅化粧品容器であって、
前記下部容器上部に回転可能に結合される上部容器と、
前記上部容器内で上昇可能に結合されて、上側に口紅化粧品が付着された上昇ピストンと、
前記上部容器を開閉するオーバーキャップとを含み、
前記オーバーキャップは内オーバーキャップと外オーバーキャップから構成され、前記内オーバーキャップの下部外周縁に弾性溝が形成されて内オーバーキャップの下部内周縁が上部容器の外周縁に弾力的に挿入されることを特徴とする密閉力が向上したエアータイト口紅化粧品容器。
【請求項２】
前記上部容器の下部外周縁に密閉ショルダーが形成され、前記密閉ショルダーは上部容器の外周縁から一定の間隔で離隔されて下側に延長形成されることを特徴とする請求項１に記載の密閉力が向上したエアータイト口紅化粧品容器。
【請求項３】
前記密閉ショルダーの上部外側形状が曲面をなして形成されることを特徴とする請求項２に記載の密閉力が向上したエアータイト口紅化粧品容器。
【請求項４】
前記上部容器の上側に内キャップがさらに形成され、前記内キャップは上部容器の上部を覆いながら結合されることを特徴とする請求項１に記載の密閉力が向上したエアータイト口紅化粧品容器。
【請求項５】
前記上昇ピストン外側に密閉リングが形成されて前記密閉リングが上部容器の内周縁に密着した状態で上昇作動することを特徴とする請求項１に記載の密閉力が向上したエアータイト口紅化粧品容器。
【請求項６】
前記オーバーキャップの内オーバーキャップ内周縁には密閉突輪が突出形成されて上部容器外周縁に密着することを特徴とする請求項１に記載の密閉力が向上したエアータイト口紅化粧品容器。
【請求項７】
前記内オーバーキャップの密閉突輪内径は上部容器の密閉ショルダーの外径よりも小さく形成されることを特徴とする請求項６に記載の密閉力が向上したエアータイト口紅化粧品容器。
【発明の詳細な説明】
【技術分野】
【０００１】
本発明は密閉力が向上したエアータイト口紅化粧品容器に関し、より詳細には下部容器と、前記下部容器内側でネジ回転によって上昇するリード軸と、前記リード軸上部に結合されてともに上昇して上側に口紅化粧品が付着された上昇ピストンと、前記下部容器上部に結合されて上昇ピストンの垂直移動を案内する上部容器及び前記下部容器に結合されて上部容器を開閉するオーバーキャップからなり、前記オーバーキャップを内オーバーキャップと外オーバーキャップに分離構成し、前記内オーバーキャップの下部外周縁に弾性溝を形成して内オーバーキャップの下部内周縁が上部容器の外周縁に弾力的に挿入されるようにすることで、前記オーバーキャップが下部容器に結合された時、口紅化粧品容器内部に外部空気が流入しないようにして口紅化粧品が外部空気によって変質または硬化することを防ぐ密閉力が向上したエアータイト口紅化粧品容器に関する。
【背景技術】
【０００２】
色調化粧品は容貌を美しく変化させて皮膚を美しく演出させようとする目的で用いられる。
【０００３】
前記色調化粧品は皮膚の色を均一にして欠点をカバーするために用いられるベースメイクアップと唇、目、爪など部分的に立体感を高めるポイントメイクアップに区分されるが、前記ベースメイクアップにはメイクアップベース、ファンデーション、パウダーなどがあり、ポイントメイクアップには口紅、アイライナー、マスカラなどがある。
【０００４】
女性たちの色調化粧に必要な多様な化粧品のうち、前記口紅は唇を保護してより際立つように化粧するためのものであって、従来の口紅は多様な色感を有する化粧料組成物が棒状に製造されて口紅化粧品容器内側で昇降作動しながら引出または挿入される。
【０００５】
つまり、前記のような従来の一般的な口紅化粧品容器の構成は、化粧品容器の外形を維持するケースと、該ケースの内部にネジ式で設けられてケースの回転作動によってネジ山に沿って昇降作動し、スティック型化粧品が装着される口紅ホルダーと、前記ケースと口紅ホルダーとの間に設けられながらその一部が外側に露出するように設けられ、前記口紅ホルダーの上下移動を案内しながら化粧品を保護する保護管と、前記ケースの上部に締結されて保護管を安全に固定する締結キャップ及び前記ケースを開閉するオーバーキャップなどから構成されている。
【０００６】
しかし、前記従来の口紅化粧品容器はオーバーキャップとケース、ケースと口紅ホルダー及びケースと保護管の結合が堅固でないため密閉力が劣るので、使用中に外部空気がケースの内部に流入し、これにより、口紅化粧品が外部空気と持続的に接触しながら変質または硬化する問題点があった。
【０００７】
上記のような問題点を解決するために、図１に示すように、韓国登録特許第１０−１２８７０９４号に口紅容器の内容物保護構造が開示されたが、前記従来技術は下部容器と、前記下部容器内に結合される固定体と、前記固定体に結合されて口紅内容物が内蔵される口紅筒及び外蓋からなり、前記固定体外周縁にリングが形成され、前記外蓋内周縁に内蓋が結合されており、前記内蓋の先端部がリングと接触しながら口紅内部を密閉させる構造である。
【０００８】
しかし、前記従来技術は内蓋の端部がリングの嵌合溝に垂直に密着して口紅の内容物が密閉される構造なので、下部容器と外蓋がきちんと締結されない場合や、携帯中に外蓋が少し持ち上がる場合、前記内蓋の端部とリングとの間に隙間ができて口紅内部が密閉されない問題が発生する。
【０００９】
また、前記従来技術のリングがシリコンまたは軟性のゴム材質からなっており、長期間使用すると、前記リングの形態が変形又は硬化して内蓋の端部とリングが完全に密着することができずに口紅内容物の密閉力が劣る問題点があった。
【発明の概要】
【発明が解決しようとする課題】
【００１０】
本発明は前記のような問題点を解決するために案出されたものであり、下部容器と、前記下部容器内側でネジ回転によって上昇するリード軸と、前記リード軸上部に結合されてともに上昇して上側に口紅化粧品が付着された上昇ピストンと、前記下部容器上部に結合されて上昇ピストンの垂直移動を案内する上部容器及び前記下部容器に結合されて上部容器を開閉するオーバーキャップからなり、前記オーバーキャップを内オーバーキャップと外オーバーキャップに分離構成し、前記内オーバーキャップの下部外周縁に弾性溝を形成して内オーバーキャップの下部内周縁が上部容器の外周縁に弾力的に挿入されるようにすることで、前記オーバーキャップが下部容器に結合された時、口紅化粧品容器内部に外部空気が流入しないようにして口紅化粧品が外部空気によって変質または硬化することを防ぐ密閉力が向上したエアータイト口紅化粧品容器を提供することに目的がある。
【００１１】
また、上端が開放されている上部容器上側に内キャップを形成するが、前記内キャップが上部容器の上部を覆いながら結合されると同時に内オーバーキャップによって圧迫するようにすることで、外部空気が上部容器の上端を通じて流入することを防ぎ、外部空気または異物によって口紅化粧品が変質または汚染されることを防ぐ、密閉力が向上したエアータイト口紅化粧品容器を提供することに目的がある。
【００１２】
また、上部容器の下部外周縁に密閉ショルダーを形成するが、前記密閉ショルダーが上部容器の外周縁から一定の間隔で離隔されて下側に延長形成され、密閉ショルダーの上部外側形状が曲面をなすように形成することで、オーバーキャップの内オーバーキャップが前記密閉ショルダーの外周縁に容易に密着して外部空気によって口紅化粧品が変質または硬化することを防ぐ、密閉力が向上したエアータイト口紅化粧品容器を提供することに目的がある。
【００１３】
また、上昇ピストン外側に密閉リングを形成して前記密閉リングが上部容器内周縁に密着した状態で上昇作動するようにすることで、前記上昇ピストン下側から流入する外部空気が口紅化粧品に接触して口紅化粧品が変質または硬化することを防ぐ、密閉力が向上したエアータイト口紅化粧品容器を提供することに目的がある。
【課題を解決するための手段】
【００１４】
本発明は、下部容器を回転するにつれて、上部容器内の口紅化粧品が上昇しながら引き出される口紅化粧品容器であって、
前記下部容器上部に回転可能に結合される上部容器と、
前記上部容器内で上昇可能に結合されて、上側に口紅化粧品が付着された上昇ピストンと、
前記上部容器を開閉するオーバーキャップとを含み、
前記オーバーキャップは内オーバーキャップと外オーバーキャップから構成され、前記内オーバーキャップの下部外周縁に弾性溝が形成されて、内オーバーキャップの下部内周縁が上部容器の外周縁に弾力的に挿入されることを特徴とする、密閉力が向上したエアータイト口紅化粧品容器を提供する。
【００１５】
また、前記上部容器の下部外周縁に密閉ショルダーが形成され、前記密閉ショルダーは上部容器の外周縁から一定の間隔で離隔されて下側に延長形成されることを特徴とする。
【００１６】
また、前記密閉ショルダーの上部外側形状が曲面をなして形成されることを特徴とする。
【００１７】
また、前記上部容器の上側に内キャップがさらに形成され、前記内キャップは上部容器の上部を覆いながら結合されることを特徴とする。
【００１８】
また、前記上昇ピストン外側に密閉リングが形成されて前記密閉リングが上部容器内周縁に密着した状態で上昇作動することを特徴とする。
【００１９】
また、前記オーバーキャップの内オーバーキャップ内周縁には密閉突輪が突出形成されて上部容器外周縁に密着することを特徴とする。
【００２０】
また、前記内オーバーキャップの密閉突輪内径は上部容器の密閉ショルダー外径よりも小さく形成されることが好ましい。
【発明の効果】
【００２１】
本発明にかかる密閉力が向上したエアータイト口紅化粧品容器は、下部容器と、前記下部容器内側でネジ回転によって上昇するリード軸と、前記リード軸上部に結合されてともに上昇して上側に口紅化粧品が付着された上昇ピストンと、前記下部容器の上部に結合されて上昇ピストンの垂直移動を案内する上部容器及び前記下部容器に結合されて上部容器を開閉するオーバーキャップからなり、前記オーバーキャップを内オーバーキャップと外オーバーキャップに分離構成し、前記内オーバーキャップの下部外周縁に弾性溝を形成して内オーバーキャップの下部内周縁が上部容器の外周縁に弾力的に挿入されるようにすることで、前記オーバーキャップが下部容器に結合された時、口紅化粧品の容器内部に外部空気が流入しないようにして口紅化粧品が外部空気によって変質または硬化することを防ぐ効果がある。
【００２２】
また、本発明にかかる密閉力が向上したエアータイト口紅化粧品容器は、上端が開放されている上部容器の上側に内キャップを形成するが、前記内キャップが上部容器の上部を覆いながら結合されると同時に内オーバーキャップによって圧迫するようにすることで、外部空気が上部容器の上端を通じて流入することを防ぎ、外部空気または異物によって口紅化粧品が変質または汚染されることを防ぐ効果がある。
【００２３】
また、本発明にかかる密閉力が向上したエアータイト口紅化粧品容器は、上部容器の下部外周縁に密閉ショルダーを形成するが、前記密閉ショルダーが上部容器の外周縁から一定の間隔で離隔されて下側に延長形成され、密閉ショルダーの上部外側形状が曲面をなすように形成することで、オーバーキャップの内オーバーキャップが前記密閉ショルダーの外周縁に容易に密着して外部空気によって口紅化粧品が変質または硬化することを防ぐ効果がある。
【００２４】
また、本発明にかかる密閉力が向上したエアータイト口紅化粧品容器は、上昇ピストン外側に密閉リングを形成して前記密閉リングが上部容器内周縁に密着した状態で上昇作動するようにすることで、前記上昇ピストン下側から流入する外部空気が口紅化粧品に接触して口紅化粧品が変質または硬化することを防ぐ効果がある。
【図面の簡単な説明】
【００２５】
【図１】図１は従来の口紅容器の内容物保護構造である。
【図２】図２は本発明の一実施例にかかる口紅化粧品容器の斜視図である。
【図３】図３は本発明の一実施例にかかる口紅化粧品容器の分解斜視図である。
【図４】図４は本発明の一実施例にかかる口紅化粧品容器の部分断面図である。
【図５】図５は本発明の一実施例にかかる口紅化粧品容器の断面図である。
【図６】図６は本発明の一実施例にかかる口紅化粧品容器のオーバーキャップと内キャップが分離する様子を示す断面図である。
【図７】図７は本発明の一実施例にかかる口紅化粧品容器の下部容器を回転させて口紅化粧品が引き出される様子を示す断面図である。
【図８】図８は本発明の一実施例にかかる口紅化粧品容器から引き出された口紅化粧品で化粧をする様子を示す斜視図である。
【発明を実施するための形態】
【００２６】
本発明と本発明の実施によって達成される技術的課題は、次で説明する好ましい実施例によって明確にされる。以下、添付の図面を参照して本発明にかかる密閉力が向上したエアータイト口紅化粧品容器の一実施例を詳細に考察すれば次の通りである。
【００２７】
図２は本発明の一実施例にかかる口紅化粧品容器の斜視図であり、図３は本発明の一実施例にかかる口紅化粧品容器の分解斜視図であり、図４は本発明の一実施例にかかる口紅化粧品容器の部分断面図であり、図５は本発明の一実施例にかかる口紅化粧品容器の断面図である。
【００２８】
本発明にかかる密閉力が向上したエアータイト口紅化粧品容器は、下部容器１０が回転することに伴い上部容器２０内の口紅化粧品３５が上昇しながら引き出される口紅化粧品容器であって、前記下部容器１０上部に回転可能に結合される上部容器２０と、前記上部容器２０内で上昇可能に結合されて、上側に口紅化粧品３５が付着された上昇ピストン３０及び前記上部容器２０を開閉するオーバーキャップ５０を含むが、前記オーバーキャップ５０は内オーバーキャップ５２と外オーバーキャップ５４から構成され、前記内オーバーキャップ５２の下部外周縁に弾性溝５２２が形成されて内オーバーキャップ５２の下部内周縁が上部容器２０の外周縁に弾力的に挿入されることを特徴とする。
【００２９】
前記下部容器１０は上部が開放された円筒形態であり、下部容器１０中央にはリード軸挿入溝１１が形成され、前記リード軸挿入溝１１の外側上部にリード軸挿入突輪１２が延長形成される。
【００３０】
前記下部容器１０の内周縁とリード軸挿入突輪１２との間には、本発明にかかる口紅化粧品容器の部品が設けられる作動部材設置溝１３が形成される。
【００３１】
前記リード軸挿入突輪１２外側には図４に示すように、多数の回転リブ１４が形成され、前記回転リブ１４外側には弾性部材設置溝１５が形成される。
【００３２】
前記下部容器１０の上部内周縁には上部容器２０が結合される結合環溝１６が形成される。
【００３３】
前記上部容器２０は下部容器１０上部に回転可能に結合される。
【００３４】
前記上部容器２０は上部容器２０内側に形成された上昇ピストン３０の垂直移動を案内するようになる。
【００３５】
前記上部容器２０の下部外周縁には密閉ショルダー２４が形成されるが、前記密閉ショルダー２４は上部容器２０の外周縁から一定の間隔で離隔されて下側に延長形成される。
【００３６】
前記密閉ショルダー２４の上部外側は曲面をなして形成されることが好ましい。
これはオーバーキャップ５０が上部容器２０を覆いながら下部容器１０に結合される時、前記オーバーキャップ５０の内オーバーキャップ５２下部が密閉ショルダー２４の上部外側にスムーズに挿入されるようにするためである。
【００３７】
前記密閉ショルダー２４の外周縁には下部容器１０の上端に安着される安着突輪２４２が突出形成される。
【００３８】
前記密閉ショルダー２４の安着突輪２４２下側には結合突輪２４４が形成されて下部容器１０内周縁に形成された結合環溝１６に結合される。
【００３９】
前記密閉ショルダー２４下部には図３に示すように、多数の第２嵌合部２４６が形成される。
【００４０】
前記下部容器１０の作動部材設置溝１３には第１作動部材６０が設けられるが、前記第１作動部材６０は下部容器１０に上下移動可能に結合されて前記下部容器１０とともに回転する。
【００４１】
前記第１作動部材６０上端には第１鋸歯６２が形成され、前記第１鋸歯６２は片方向のみに傾斜するように形成される。
【００４２】
前記第１作動部材６０下部には多数の第１嵌合部６４が形成されるが、前記第１嵌合部６４は下部容器１０内側に形成された各々の回転リブ１４の間に挿入されて下部容器１０が回転する時、前記第１作動部材６０が下部容器１０内側で空回りせずに下部容器１０とともに回転するようにする。
【００４３】
前記第１作動部材６０下側には第１作動部材６０を弾力支持する弾性部材７０が形成され、前記弾性部材７０は下部容器１０の弾性部材設置溝１５に挿入される。
【００４４】
前記第１作動部材６０上側には第２作動部材８０が設けられるが、前記第２作動部材８０は上部容器２０と結合される。
【００４５】
前記第２作動部材８０下端には第２鋸歯８２が形成され、前記第２鋸歯８２は第１作動部材６０の第１鋸歯６２と対応するように片側方向のみに傾斜面が形成されて前記第１鋸歯６２と係合するようになる。即ち、使用者が片手で上部容器２０をつかんで固定させ、もう片方の手で下部容器１０を回転させると、第２作動部材８０は上部容器２０とともに固定される反面、第１作動部材６０は下部容器１０とともに回転するが、この時、前記第２作動部材８０下端に形成された第２鋸歯８２と第１作動部材６０上端に形成された第１鋸歯６２の傾斜面が互いに相接しており、第１作動部材６０が弾性部材７０により弾力支持されるから、第１作動部材６０の第１鋸歯６２が第２作動部材８０の第２鋸歯８２を弾力的に乗り越えながら前記第１作動部材６０が第２作動部材８０から片方向のみに回転するようになる。
【００４６】
前記第２作動部材８０外周縁には多数の嵌合溝８４が形成されて上部容器２０の第２嵌合部２４６が挿入される。これにより、前記下部容器１０が回転する時、第２作動部材８０が第１作動部材６０に伴って回らずに上部容器２０とともに固定される。
【００４７】
前記第２作動部材８０中央にはリード軸貫通穴８６が形成され、前記リード軸貫通穴８６外側には作動ネジ山８６２が形成される。
【００４８】
前記下部容器１０のリード軸挿入突輪１２内側には第１作動部材６０と第２作動部材８０とを貫通して上昇するリード軸９０が結合される。
【００４９】
前記リード軸９０上端には上昇ピストン４０が結合されて、外周縁にはリード軸ネジ山９２が形成されて第２作動部材８０の作動ネジ山８６２とネジ結合される。
【００５０】
前記上昇ピストン３０は上部容器２０内で前記リード軸９０により上昇して、上側に口紅化粧品３５が付着される。
【００５１】
前記上昇ピストン３０外側には密閉リング３２が形成されるが、前記密閉リング３２は上部容器２０内周縁に密着した状態で上昇作動する。従って、下部容器１０を通じて上昇ピストン３０下側に流入された外部空気が口紅化粧品３５に接触して前記口紅化粧品３５が変質または硬化することを防ぐようになる。
【００５２】
前記上昇ピストン３０外側には固定ピストン４０が形成されるが、前記固定ピストン４０の一側は上部容器２０の下端に密着し、他側は第２作動部材８０上部に結合されて固定される。
【００５３】
前記オーバーキャップ５０は上部容器２０を覆いながら下部容器２０に結合されて前記上部容器２０を開閉するようになる。
【００５４】
前記オーバーキャップ５０は内オーバーキャップ５２と外オーバーキャップ５４から構成されるが、図５に示すように、前記内オーバーキャップ５２の下部外周縁に弾性溝５２２が形成されて内オーバーキャップ５２の下部内周縁が上部容器２０の外周縁に弾力的に挿入される。
【００５５】
言い換えれば、下部容器１０にオーバーキャップ５０を結合するようになると、前記オーバーキャップ５０の内オーバーキャップ５２の下端が上部容器２０の密閉ショルダー２４に接するようになるが、この時、前記内オーバーキャップ５２の下部外周縁に空間、即ち、弾性溝５２２が形成されており、前記密閉ショルダー２４の上部外側が曲面をなしており、前記内オーバーキャップ５２が容易に外側に押されながら上部容器２０の密閉ショルダー２４をスムーズに覆うようになる。
【００５６】
これにより、前記オーバーキャップ５０が下部容器１０に結合された時、前記下部容器１０とオーバーキャップ５０との間に流入した外部空気が口紅化粧品３５に接触して前記口紅化粧品３５が変質または硬化することを防ぐことができるようになる。
【００５７】
また、前記オーバーキャップ５０の内オーバーキャップ５２の内周縁には密閉突輪５２４が突出形成されて上部容器２０の密閉ショルダー２４外周縁に密着される。
【００５８】
前記内オーバーキャップ５２の密閉突輪５２４の内径は密閉ショルダー２４の外径よりも小さく形成されることが好ましいが、前記内オーバーキャップ５２の密閉突輪５２４内径は密閉ショルダー２４の外径よりも０．０２ないし０．５ｍｍ小さく形成されることが好ましい。即ち、内オーバーキャップ５２の密閉突輪５２４内径が密閉ショルダー２４の外径よりも大きいか同じ場合、前記内オーバーキャップ５２の密閉突輪５２４と密閉ショルダー２４との間に隙間ができたり、内オーバーキャップ５２の密閉突輪５２４が上部容器２０の密閉ショルダー２４を弾力的に抑えることができなかったりして、密閉力が劣るようになる。
【００５９】
前記上部容器２０上側には口紅化粧品容器の密閉力向上のために内キャップ５６がさらに形成される。
【００６０】
前記内キャップ５６は上部容器２０上部を覆いながら結合されて、オーバーキャップ５０が下部容器１０に結合される時、内キャップ５６の上端がオーバーキャップ５０の内オーバーキャップ５２により圧迫される。
【００６１】
前記内キャップ５６の上部内側には遮断板５６２が形成され、前記遮断板５６２は片側に傾いた形態で形成されて上部容器２０上端に密着する。
【００６２】
前記のように構成された密閉力が向上したエアータイト口紅化粧品容器の組立方法について図面を参照して説明すれば次の通りである。
【００６３】
本発明にかかる密閉力が向上したエアータイト口紅化粧品容器を組み立てるために、図３ないし図５に示すように、下部容器１０内側に弾性部材７０と第１作動部材６０を設けるが、前記弾性部材７０が下部容器１０の弾性部材設置溝１５に挿入されるようにし、第１作動部材６０の第１嵌合部６４が下部容器１０の回転リブ１４の間に挿入されるようにする。
【００６４】
次に、リード軸９０に第２作動部材８０をネジ結合した後、前記リード軸９０と第２作動部材８０を下部容器１０の作動部材設置溝１３に結合するが、前記リード軸９０が下部容器１０のリード軸挿入突輪１２内側に挿入されながら第２作動部材８０の第２鋸歯８２が第１作動部材６０の第１鋸歯６２と係合するようにする。
【００６５】
次に、上部容器２０上側に内キャップ５６を結合した後、前記上部容器２０をひっくり返して上部容器２０下側から口紅化粧品３５内容物を注入して上昇ピストン３０を結合した後、口紅化粧品３５内容物を凝固させる。
【００６６】
次に、固定ピストン４０を下部容器１０内側に挿入して第２作動部材８０上部に結合し、前記のように組み立てられた上部容器２０を下部容器１０上部に結合するが、前記上部容器２０の結合突輪２４４が下部容器１０の結合環溝１６に結合されると同時に、上昇ピストン３０がリード軸９０上部に結合されるようにする。
【００６７】
最後に、外オーバーキャップ５４内側に内オーバーキャップ５２を結合してオーバーキャップ５０を組み立てた後、前記オーバーキャップ５０を下部容器１０上部に結合することで、本発明にかかる密閉力が向上したエアータイト口紅化粧品容器の組立を完了する。
【００６８】
前記のように組み立てられた密閉力が向上したエアータイト口紅化粧品容器の使用方法をについて図面を参照して説明すると次の通りである。
【００６９】
図６は本発明の一実施例にかかる口紅化粧品容器のオーバーキャップと内キャップが分離される様子を示す断面図であり、図７は本発明の一実施例にかかる口紅化粧品容器の下部容器を回転させて口紅化粧品が引き出される様子を示す断面図であり、図８は本発明の一実施例にかかる口紅化粧品容器から引き出された口紅化粧品で化粧をする様子を示す斜視図である。
【００７０】
本発明にかかる密閉力が向上したエアータイト口紅化粧品容器を使用するために、まず図６に示すように、下部容器１０からオーバーキャップ５０と内キャップ５６を順次分離する。
【００７１】
以後、図７に示すように、片手で上部容器２０をつかんで固定させ、もう片方の手で下部容器１０を回転させると、第２作動部材８０は上部容器２０とともに固定される反面、第１作動部材６０は下部容器１０とともに回転する。
【００７２】
この時、前記第２作動部材８０下端に形成された第２鋸歯８２と第１作動部材６０上端に形成された第１鋸歯６２の傾斜面が互いに相接しており、第１作動部材６０が弾性部材７０により弾力支持されるから、第１作動部材６０の第１鋸歯６２が第２作動部材８０の第２鋸歯８２を弾力的に乗り越えながら  前記第１作動部材６０が第２作動部材８０から回転するようになる。
【００７３】
前記下部容器１０と第１作動部材６０が回転すると、下部容器１０内側に設けられたリード軸９０もともに回転するが、前記リード軸９０は上部容器２０に固定されている第２作動部材８０とネジ結合されているので、回転しながら徐々に上昇するようになる。
【００７４】
これにより、前記リード軸９０上部に結合された上昇ピストン３０が上部容器２０内周縁に密着した状態で上昇するようになり、前記上昇ピストン３０上部に付着された口紅化粧品３５も上昇しながら前記口紅化粧品３５の上部が上部容器２０上側に露出する。
【００７５】
以後、図８に示すように、外部に露出した口紅化粧品３５を利用して唇の化粧をする。
【００７６】
化粧が終わった後は、口紅化粧品容器の保管または携帯のために下部容器１０に内キャップ５６とオーバーキャップ５０を再び結合する。
【００７７】
前記オーバーキャップ５０が上部容器２０を覆いながら下部容器１０に結合されると、前記オーバーキャップ５０の内オーバーキャップ５２下端が上部容器２０の密閉ショルダー２４に接するようになるが、この時、前記内オーバーキャップ５２の下部外周縁に空間、即ち、弾性溝５２２が形成されており、前記密閉ショルダー２４の上部外側が曲面をなしており、前記内オーバーキャップ５２が容易に外側に押されながら上部容器２０の密閉ショルダー２４をスムーズに覆うようになる。
【００７８】
従って、前記下部容器１０とオーバーキャップ５０との間に流入した外部空気が口紅化粧品３５に接触して前記口紅化粧品３５が変質または硬化することを防ぐことができるようになる。
【００７９】
以上、本発明で説明したことは密閉力が向上したエアータイト口紅化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば何人も多様な変更実施が可能な範囲まで本発明の範囲に属するものとみなされなければならない。
【符号の説明】
【００８０】
１０：下部容器
２０：上部容器
２４：密閉ショルダー
３０：上昇ピストン
３２：密閉リング
３５：口紅化粧品
４０：固定ピストン
５０：オーバーキャップ
５２：内オーバーキャップ
５４：外オーバーキャップ
６０：第１作動部材
７０：弾性部材
８０：第２作動部材
９０：リード軸
５２２：弾性溝
５２４：密閉突輪
【図１】
2019532705.tif 000003
【図２】
2019532705.tif 000004
【図３】
2019532705.tif 000005
【図４】
2019532705.tif 000006
【図５】
2019532705.tif 000007
【図６】
2019532705.tif 000008
【図７】
2019532705.tif 000009
【図８】
2019532705.tif 000010
【国際調査報告】
2019532705.tif 000011
2019532705.tif 000012
2019532705.tif 000013
2019532705.tif 000014